(57)【特許請求の範囲】
【請求項１】
上端開口を有しその内部に内容物を収納する主室を形成する容器本体と、この容器本体の上端開口に回転不能に係合保持される中間筒体と、この中間筒体の内側に位置する内筒部、該中間筒体の外側に位置する外筒部及びそれらを上端において相互につなぐ天板部からなり該外筒部の内側壁で前記中間筒体に回転可能に保持される回動カバー体と、この回動カバー体の天板部の上でスライド可能に弾性支持されるノズルヘッドと、このノズルヘッドに前記内筒部の内側を通してつながりその押し込みと復帰動作とを繰り返すことによって容器本体の主室内の内容物を吸引、加圧、圧送してノズルヘッドの注出口を通して内容物を外界へ排出するポンプと、前記中間筒体及び内筒部の相互間に配置され該中間筒体の内壁面に沿って摺動可能なスリーブとを備え、
前記ポンプは、当該ポンプの上端を前記回動カバー体の内筒部に連結して該ポンプそのものを前記中間筒体の内側に懸垂支持するものであり、
前記ポンプの外側壁及び前記中間筒体の内側壁との相互間に閉塞部を設け、
前記ポンプの外側壁及び前記スリーブの内側壁との相互間に、ポンプ外側壁上方を環状の密閉空間とするシール部材を配置して、
前記シール部材と閉塞部とで囲まれる領域に、主室に収納する内容物とは種類の異なる内容物を収納する副室を設けたことを特徴とする二剤混合容器。
【請求項２】
前記シール部材が、前記ポンプの外側壁及び前記スリーブの内側壁の少なくとも一方に設けられ、もう一方へ向けて摺動可能に弾性接触するものである、請求項１に記載の二剤混合容器。
【発明の詳細な説明】
【技術分野】
【０００１】
本発明は、ポンプ付き二剤混合容器に関するものであり、容器のコンパクト化（容器の背丈を低くする）を図るとともに、内容物を使用するに際して二剤を簡単な操作でもって確実に混合しようとするものである。
【背景技術】
【０００２】
化粧料や薬剤を入れる容器としては、内容物の多様性から、主成分等を装填する主容器と補助成分等を装填する副容器をそれぞれ合体させ、内容物の注出に際して副容器内の補助成分等を主容器の主成分等に添加、混合し、その後にポンプによって混合に係わる内容物を注出する構造のものが用いられている（例えば、特許文献１参照）。
【特許文献１】特開2003−292074号公報
【０００３】
ところで、この種の容器は、主容器の上に副容器が配置された縦長容器となっており、これにさらにポンプ機構が別途に組み込まれていることから容器の背が高くなる傾向にあり容器の大型化が避けられない。
【０００４】
また、副室内の内容物を主室内の内容物へ向けて添加するには、それぞれに設けられた開口部を合致させる正確な位置合わせを行う操作が必要になるが、たとえ正確な位置合わせができたとしても補助成分等を全て落としきることができない場合がある（開口部は一定のサイズを有するため粉末等を内容物とする場合、内容物が残留する）。
【０００５】
さらに、商品の流通段階で容器が反転姿勢に保持された場合等には、副室内に収納された内容物（とくに粉体）が構成部材の隙間内へと入り込んで固着してしまうことがあり、副室内の内容物を主室内の内容物へ向けて添加しにくい不具合があった。特に、シリンダーの側壁に容器内の負圧を解除する外気吸入孔を形成したポンプを取り付けている場合には、内容物（粉体）が該孔を塞いでしまい、容器内に外気が導入されなくなる可能性が存在していた。
【発明の開示】
【発明が解決しようとする課題】
【０００６】
本発明の課題は、ポンプ機構及び補助成分を収納する副室を容器の中に一体収納して容器のコンパクト化を図るとともに、回転操作のみで二剤を確実に混合し得る使い勝手の良い二剤混合容器を提案するところにある。
【課題を解決するための手段】
【０００７】
本発明は、上端開口を有しその内部に内容物を収納する主室を形成する容器本体と、この容器本体の上端開口に回転不能に係合保持される中間筒体と、この中間筒体の内側に位置する内筒部、該中間筒体の外側に位置する外筒部及びそれらを上端において相互につなぐ天板部からなり該外筒部の内側壁で前記中間筒体に回転可能に保持される回動カバー体と、この回動カバー体の天板部の上でスライド可能に弾性支持されるノズルヘッドと、このノズルヘッドに前記内筒部の内側を通してつながりその押し込みと復帰動作とを繰り返すことによって容器本体の主室内の内容物を吸引、加圧、圧送してノズルヘッドの注出口を通して内容物を外界へ排出するポンプと、前記中間筒体及び内筒部の相互間に配置され該中間筒体の内壁面に沿って摺動可能なスリーブとを備え、
前記ポンプは、当該ポンプの上端を前記回動カバー体の内筒部に連結して該ポンプそのものを前記中間筒体の内側に懸垂支持するものであり、
前記ポンプの外側壁及び前記中間筒体の内側壁との相互間に閉塞部を設け、
前記ポンプの外側壁及び前記スリーブの内側壁との相互間に、ポンプ外側壁上方を環状の密閉空間とするシール部材を配置して、
前記シール部材と閉塞部とで囲まれる領域に、主室に収納する内容物とは種類の異なる内容物を収納する副室を設けたことを特徴とする二剤混合容器である。
【０００９】
また、前記シール部材は、ポンプの外側壁及び前記スリーブの内側壁の少なくとも一方に設けられ、もう一方へ向けて摺動可能に弾性接触するものが望ましく、前記部材に一体に形成されるか、あるいはゴムやエラストマーなどの別物体が適用される。
【発明の効果】
【００１０】
内容物を注出するポンプは、そのシリンダー末端を回動カバー体の内筒部に連結して該ポンプそのものを中間筒体の内側に懸垂支持した一体収納構造であり、該中間筒体の下端部に、閉塞部を設けて、シリンダーの外側壁、中間筒体の内側壁及び回動カバー体の内側壁にて他の内容物を収納する副室を形成してあるため、容器の背丈の短縮が可能となる。
【００１１】
また、副室は、シール部材及び閉塞部にて密閉空間になっているため、商品の流通段階において容器が反転されるようなことがあっても副室内の内容物が構成部材の隙間に入り込むことはない。
【００１２】
以下、図面を参照して本発明をより具体的に説明する。
図１は本発明にしたがう二剤混合容器の実施の形態を示したものである。
【００１３】
図における１は内容物を収納する主室Ｍを形成する容器本体である。この容器本体１は上端開口1aが設けられている。
【００１４】
また、２は上下ともに開放された中間筒体である。この中間筒体２は外側壁に凸部ｔが設けられ、その下端部には内壁2a、外壁2bによって溝部2cが形成されている。中間筒体２は容器本体１の上端開口1aが溝部2cに嵌り込み縦リブｒと、この縦リブｒに適合する縦溝r１などの手段により回転不能に係合保持されている。
【００１５】
また、３は中間筒体２の上側開放端において被さる回動カバー体である。この回動カバー体３は両端が開放された内筒部3aと、内側壁で中間筒体２の凸部tにより抜け止不能でかつ回転可能にアンダーカット係合する凸部ｔ１を有する外筒部3bと、内筒部3a及び外筒部3bを上端部で相互につなぐ天板部3cからなる。
【００１６】
４は内容物を注出するためのノズルヘッドである。このノズルヘッド４は後述するポンプの排出経路につながる注出口4aと、内筒部3aの内側を通り抜けてポンプの中へ伸延するステム4bを有し、回動カバー体３の天板部3cに設けられた凹部3c１においてスプリングＳを介してスライド可能に弾性支持される。なお、スプリングＳは、後述のポンプ５内部に配置することも当然可能である。
【００１７】
５は容器本体１の主室Ｍに存在する内容物を吸引、加圧、圧送してノズルヘッド４の注出口4aを通して内容物を外界へ排出するポンプである。
【００１８】
ポンプ５は、主室Ｍへ口部を指向させた吸引管Ｋを有するシリンダー5aと、ノズルヘッド４のステム4bの内側でそれに一体連結するガイド5bと、このガイド5b及びステム4bの相互間で隙間Ｐを隔てて保持され、このガイド5bに対して隙間Ｐの距離分可動でシリンダー5aの中でガイド5b、ステム4bとともに往復移動し、合わせてガイド5bと協働して吐出弁の機能を果たすピストン5cと、吸引管Ｋの出側に配置され吸入にかかる内容物の逆流を防止する逆止弁5d（図示例では三点弁で表示する）からなるもので、シリンダー5aの側壁には、容器内の負圧を解除する外気吸入孔5eが形成されている。
【００１９】
上記ポンプ５のシリンダー5aの末端（上端）は、回動カバー体３の裏面に設けられた溝部3dに嵌合し内筒部3aに連結しており、ポンプ５そのものが中間筒体２の中で懸垂支持された状態にあって、これによりポンプ５が容器本体１内に一体収納される。
【００２０】
また、６は中間筒体２及び回動カバー体３の内筒部3aの相互間に配置され、該中間筒体２の内壁面で上下方向に沿って摺動可能でかつ、該中間筒体２に縦リブr３、r４により回転不能に係止されるスリーブである。このスリーブ６は中間筒体２の内壁に沿う壁部を有し回動カバー体３の軸芯Ｌと同じ軸芯をもった筒体からなる。
【００２１】
７はポンプ５の外側壁（具体的にはシリンダー5aの外側壁）の下端部及び中間筒体２の内側壁の下端部との相互間に配置されたリング状の中栓（閉塞部）である。この中栓７はアンダーカットの如き係合手段により主室Ｍへ向けて落下可能に嵌合保持される。
【００２２】
８は中栓７を隔ててポンプ５の外側壁（具体的にはシリンダー5aの外側壁）の上端部及びスリーブ６の内側壁の上端部との相互間に配置されたシール部材である。このシール部材８はスリーブ６の内側壁に一体的に設けられ、ポンプ５の外側壁へ向けて摺動可能に弾性接触するもので、該中栓７と協働してその内部に環状の密閉空間を形成して、これにより副室Ｍ１を形成するとともにポンプ外側壁上方を環状の密閉空間として形成する。図示の例では、シール部材８は弾性変形を容易とするために、スリーブ６の内側壁との間に空間を有するように下方に向けて突出形成されている。
【００２３】
さらに、９はスリーブ６の末端（図面上端部）に設けられたカム構造である。このカム構造は傾斜辺9aとこれにつながる垂直辺9bを組み合わせた三角形状をなしており、少なくとも１つ、好ましくは対向位置に２つ設けられる。
【００２４】
10は回動カバー体３の天板部3cの裏面に設けられ、該カム構造９に適合する凹部である。この凹部10はカム構造９の傾斜辺9aに適合する傾斜辺10aと、これにつながる垂直辺10bを有する。なお、上記カム構造９は、図２に示すような矩形断面を有する凸部９ｃで構成とすることも可能であり、その形成位置関係もスリーブ６と回動カバー体３に対し逆転して配置してもよい。
【００２５】
上記の構成になる二剤混合容器はその開封前においては、図１に示すように、中栓７によって主室Ｍと副室Ｍ１とが確実に遮断され、該中栓７とシール部材８によって副室Ｍ１が密閉状態に保持されており、とくに、副室Ｍ１については商品の流通段階等において容器が反転されるようなことがあってもその中に収められた内容物が構成部材の隙間に入り込むようなことがなく、特に、図示の例では、シリンダー5aの側壁に形成された容器内の負圧を解除する外気吸入孔5eが閉塞することがなく、容器内への外気の導入を阻害するおそれがない。
【００２６】
容器を開封して副室Ｍ１ 内の内容物を主室Ｍ内の内用物に添加するには、まず、オーバーキャップ11を取り外して回動カバー体３を図１中矢印Ｃの向きへと回転させる。そうすると、スリーブ６の末端に設けられたカム９と回転カバー体３に設けられた凹部10が傾斜辺9a、10aにおいて相互に移動し、この時、力Ｆによりスリーブ６が中間筒体２の内壁面を摺動しつつ下方へ向けてスライドする。
【００２７】
回動カバー体３の回転によりスリーブ６がスライドすると中栓７はスリーブ６によって押圧され、中栓７の係合が解除されたときに図３に示すように副室Ｍ１内に存在する他の内容物とともに主室Ｍ内へと落下する。
【００２８】
スリーブ６をスライドさせる機構として本発明では三角形状をなすカムを適用した場合について説明したが、スリーブ６のスライド機構はねじを利用することもでき、図示のものには限定されない。また、中栓７は逆Ｕ字状の断面を有するものを適用した場合について示したが、中栓７の断面形状は任意に変更できる。
【００２９】
シール部材８はスリーブ６と同じ材質にて一体に構成することができる他、ゴムやオレフィン系・スチレン系・エステル系他各種エラストマーなどにより構成された別部材を接着・融着・インサート成形あるいはアンダーカット嵌合などの方法により固定することにより形成できる。また、該シール部材８はポンプ５の外側壁に設けることも可能であり、断面形状及びその厚みもとくに限定はされない。
【００３０】
回動カバー体３には回転方向を示す矢印及びマークを付し、中間筒体２に混合前・混合時の位置合わせマークを付しておくことができる。この場合には、使用者が外部からその状態を視認することが可能となる。なお、前記矢印やマークは凹凸によって形成することができる他、ホットスタンプ、印刷等の加飾を施すことによって形成することもでき、その形成方法は適宜選択される。
【００３１】
回動カバー体３の不用意な回転（開封前の回転）によって二剤が混合されないよう、回転カバー体３と中間筒体２との間にバージンバンドを配置しておくのが好ましい。
【００３２】
図４は、本発明にしたがう二剤混合容器の他の実施の形態を示したものである。
【００３３】
図４に示す容器は、吸引管Ｋ及びシリンダー5aの側壁における外気吸入孔5eを設けず、これに代えて内容物の吐出に伴い上昇する中皿11を容器本体１内に配置した構成になるもので、スリーブ６の内側壁にはシリンダー5aの上部を密閉するシール部材８が一体に形成されている。このシール部材８の存在により、本実施形態においてもシリンダー5aの外側壁とスリーブ６との間に形成される狭い隙間内に副室Ｍ１内の内容物が入り込むのを防止することができる。
【００３４】
また、この実施の形態では、二剤混合の機構部は、中間筒体２と回動カバー体３を螺合させるとともに、該中間筒体２の下部に中栓７を嵌合保持（アンダーカット等）させ副室Ｍ１を形成しており、該中栓７を主室Ｍ内へ押圧落下させるためのスリーブ６が回動カバー体３の上部に上下摺動可能に抜け止め保持されている。容器の開封前における回動カバー体３の下向きへの移動を阻止するためストッパー12（Ｃ形状の弾性ストッパーまたは回動カバー体に薄肉部・連結片等を介して破断可能に一体連結するバージンリング体）が中間筒体２の段部と回動カバー体３の下端との間に配置されている。
【００３５】
かかる構成になる容器において、副室Ｍ１内の内容物を主室Ｍ内に落下させて混合するには、前記ストッパー12を取り外し、その後、回動カバー体３を回転・下降させる。そうするとスリーブ６がそれに伴い主室Ｍに向けてスライドしその先端で中栓７を押圧し、アンダーカット等による嵌合が解除されることにより該中栓７が他の内容物とともに主室Ｍ内へと落下・混合することになる。なお、図４に示したところの中栓７では、混合操作前に副室Ｍ１内の内容物がポンプ内に入り込むことも懸念されるので、シリンダー５ａの下端部におけるシールを高めるために、図５の如く、該中栓７と一体になる環状の筒部13を立設しておくのがよい。
【００３６】
閉塞部は図示した中栓に代えてアルミラミネートフィルム等を使用することもできる。この場合、アルミラミネートフィルムは中間筒体２の下端に接着、溶着等の手段にて固着しておく一方、スリーブ６の下部には該フィルムを切断するための切刃を設けておく。さらには、中間筒体２の内壁2a下端に切断可能に一体に形成される膜として構成することも可能であり、この場合もスリーブ６の下部に該膜を切断するための切刃が設けられる。
【産業上の利用可能性】
【００３７】
ポンプの一体収納、副室の一体形成によるコンパクト化が可能であり、副室内における内用物の隙間内への入り込みを回避し得る二剤混合容器が提供できる。
【図面の簡単な説明】
【００３８】
【図１】本発明にしたがう二剤混合容器の実施の形態を示した図である。
【図２】図１に示した二剤混合容器の一部を変更した他の実施形態の要部拡大図である。
【図３】二剤を混合させた状態における容器の断面を示した図である。
【図４】本発明にしたがう二剤混合容器の他の実施の形態を示した図である。
【図５】図４に示した二剤混合容器の変形例を示した要部拡大図である。
【符号の説明】
【００３９】
１  容器本体
1a  上端開口
２  中間筒体
2a  内壁
2b  外壁
2c  溝部
３  回動カバー体
3a  内筒部
3b  外筒部
3c  天板部
3c１  凹部
3d  溝部
3e  縦リブ
４  ノズルヘッド
4a  注出口
4b  ステム
５  ポンプ
5a  シリンダー
5b  ガイド
5c  ピストン
5d  逆止弁
5e  外気吸入孔
６  スリーブ
７  中栓
８  シール部材
９  カム
10  凹部
11  オーバーキャップ
12  ストッパー
13  環状の筒部
Ｍ  主室
Ｍ１  副室
ｔ  凸部
t１  凸部
ｒ  縦リブ
r１  縦溝
Ｐ  隙間
Ｋ  吸引管
【図１】
0004726596.tif 000002
【図２】
0004726596.tif 000003
【図３】
0004726596.tif 000004
【図４】
0004726596.tif 000005
【図５】
0004726596.tif 000006